(57)【要約】      （修正有）【課題】足場用の単管パイプだけではなく、それ以外の壁面箇所にも簡単かつ確実に取付け可能な照明装置を提供する。【解決手段】照明装置は、ＬＥＤ蛍光管等の長尺の照明器具１１と、その照明器具の両側に設けられ、照明器具を支持する一対の台座１２と、を有し、一対の台座は、それぞれ、照明器具の端部を支持する照明器具支持部１２ａと、照明器具がこの照明装置の取付け部位から所定の高さだけ離間するように照明器具から延びる脚部１２ｂとを少なくとも有する。【選択図】図１
0003193821.tif 000002
【実用新案登録請求の範囲】
【請求項１】
ＬＥＤ蛍光管等の長尺の照明器具と、
その照明器具の両側に設けられ、その照明器具を支持する一対の台座と、を有し、
前記一対の台座は、それぞれ、前記照明器具の端部を支持する照明器具支持部と、前記照明器具がこの照明装置の取付け部位から所定の高さだけ離間するようにその照明器具から延びる脚部と、を少なくとも有することを特徴とする照明装置。
【請求項２】
請求項１記載の照明装置において、
前記一対の台座の照明器具支持部は、前記照明器具を３６０度回転可能に支持することを特徴とする照明装置。
【請求項３】
請求項１または請求項２記載の照明装置において、
前記一対の台座それぞれには、
前記照明器具支持部の両側から延びる一対の脚部が設けられており、
その一対の脚部の先端は、取付け用平面部で連結されており、その取付け用平面部の裏面には、それぞれ、磁石が設けられていることを特徴とする照明装置。
【請求項４】
請求項１または請求項２記載の照明装置において、
前記一対の台座それぞれには、
前記照明器具支持部の両側から延びる一対の脚部が設けられており、
その一対の脚部の先端は、取付け用平面部で連結されており、その取付け用平面部には、それぞれ、ネジまたは結束バンド等の固定手段が挿入される挿入孔が設けられていることを特徴とする照明装置。
【請求項５】
請求項１〜請求項４のいずれか一の請求項に記載の照明装置において、
前記一対の台座には、それぞれ、着脱可能な吊り下げフックが内蔵されていると共に、その吊り下げフックの先端部を掛止するための掛止部が設けられており、この照明装置の両端を吊り下げて使用する場合には、前記一対の台座それぞれから吊り下げフックを取り出し、前記一対の台座それぞれの掛止部に掛止して吊り下げフックによりこの照明装置の両端を吊り下げて使用することを特徴とする照明装置。
【請求項６】
請求項１〜請求項５のいずれか一の請求項に記載の照明装置において、
前記一対の台座の照明器具支持部のいずれか一方には、先端に電源プラグが連結された電源コードが接続されている一方、
前記一対の台座の照明器具支持部の他方には、隣接する照明装置の電源プラグが挿入されるコンセントが設けられており、
この照明装置は複数連結して使用可能であることを特徴とする照明装置。
【請求項７】
請求項１〜請求項６のいずれか一の請求項に記載の照明装置において、
前記照明器具は、
照明用ＬＥＤと、
充電状態を着色光で報知する充電状態報知用ＬＥＤとを有し、
充電状態報知用ＬＥＤは、充電状態では点灯表示する一方、受電完了状態では点滅し、バッテリ動作状態では点滅および点灯しないことを特徴とする照明装置。
【請求項８】
請求項１〜請求項７のいずれか一の請求項に記載の照明装置において、
前記照明器具は、照明用ＬＥＤと、充電状態を報知する充電状態報知用ＬＥＤとを有し、外部電源を使用して照明用ＬＥＤが点灯している際にその外部電源からの電流供給が遮断された場合、内蔵したバッテリから電流供給して照明用ＬＥＤを点灯させることを特徴とする照明装置。
【考案の詳細な説明】
【技術分野】
【０００１】
本考案は、ＬＥＤ蛍光管等の長尺の照明器具を利用した照明装置に関する。
【背景技術】
【０００２】
従来より、建設現場などの躯体の外壁面に沿って設置される作業足場などには、施工者などの歩行安全性確保のため、設置現場周辺を照明装置で照らす必要があるので、例えば、従来から使用されている足場用の単管パイプと同一形態（同一素材）のパイプを外筒部として使用した照明装置が提案されている（例えば、特許文献１参照。）。
【先行技術文献】
【特許文献】
【０００３】
【特許文献１】特開２０１２−１４２１７６号公報
【考案の概要】
【考案が解決しようとする課題】
【０００４】
しかし、前記特許文献１に記載の照明装置では、足場用の単管パイプには取り付け可能であるものの、それ以外の壁面には取り付けることができないという問題があった。
【０００５】
そこで、本考案はこのような問題点に鑑みなされたもので、足場用の単管パイプ以外の箇所にも簡単かつ確実に取付け可能な照明装置を提供することを目的とする。
【課題を解決するための手段】
【０００６】
前記課題を解決するため、本考案の照明装置は、ＬＥＤ蛍光管等の長尺の照明器具と、その照明器具の両側に設けられ、その照明器具を支持する一対の台座と、を有し、前記一対の台座は、それぞれ、前記照明器具の端部を支持する照明器具支持部と、前記照明器具がこの照明装置の取付け部位から所定の高さだけ離間するようにその照明器具から延びる脚部と、を少なくとも有することを特徴とする。
ここで、前記一対の台座の照明器具支持部は、前記照明器具を３６０度回転可能に支持すると良い。
また、前記一対の台座それぞれには、前記照明器具支持部の両側から延びる一対の脚部が設けられており、その一対の脚部の先端は、取付け用平面部で連結されており、その取付け用平面部の裏面には、それぞれ、磁石が設けられているとさらに良い。
また、前記一対の台座それぞれには、前記照明器具支持部の両側から延びる一対の脚部が設けられており、その一対の脚部の先端は、取付け用平面部で連結されており、その取付け用平面部には、それぞれ、ネジまたは結束バンド等の固定手段が挿入される挿入孔が設けられていても良い。
また、前記一対の台座には、それぞれ、着脱可能な吊り下げフックが内蔵されていると共に、その吊り下げフックの先端部を掛止するための掛止部が設けられており、この照明装置の両端を吊り下げて使用する場合には、前記一対の台座それぞれから吊り下げフックを取り出し、前記一対の台座それぞれの掛止部に掛止して吊り下げフックによりこの照明装置の両端を吊り下げて使用すると良い。
また、前記一対の台座の照明器具支持部のいずれか一方には、先端に電源プラグが連結された電源コードが接続されている一方、前記一対の台座の照明器具支持部の他方には、隣接する照明装置の電源プラグが挿入されるコンセントが設けられており、この照明装置は複数連結して使用可能であるとさらに良い。
また、前記照明器具は、照明用ＬＥＤと、充電状態を着色光で報知する充電状態報知用ＬＥＤとを有し、充電状態報知用ＬＥＤは、充電状態では点灯表示する一方、受電完了状態では点滅し、バッテリ動作状態では点滅および点灯しないとさらに良い。
また、前記照明器具は、照明用ＬＥＤと、充電状態を報知する充電状態報知用ＬＥＤとを有し、外部電源を使用して照明用ＬＥＤが点灯している際にその外部電源からの電流供給が遮断された場合、内蔵したバッテリから電流供給して照明用ＬＥＤを点灯させることを特徴とする照明装置。
ようにするとさらに良い。
【考案の効果】
【０００７】
本考案に係る照明装置によれば、ＬＥＤ蛍光管等の長尺の照明器具と、その照明器具の両側に設けられ、その照明器具を支持する一対の台座と、を有し、一対の台座は、それぞれ、照明器具の端部を支持する照明器具支持部と、照明器具がこの照明装置の取付け部位から所定の高さだけ離間するようにその照明器具から延びる脚部とを少なくとも有するため、足場用の単管パイプには取り付け可能であるだけでなく、それ以外の壁面にも脚部を有する台座を介して簡単かつ確実に取り付けることができる。
【図面の簡単な説明】
【０００８】
【図１】（ａ），（ｂ）それぞれ本考案に係る照明装置の平面図、底面図である。
【図２】（ａ），（ｂ）それぞれ本考案に係る照明装置の正面図、左側面図である。
【図３】本考案に係る照明装置において防水キャップ取り外した状態の左側面図である。
【図４】図１（ａ）における本考案に係る照明装置の台座の拡大平面図である。
【図５】図１（ａ）における本考案に係る照明装置の台座の拡大底面図である。
【図６】本考案に係る照明装置を吊下げフックを使用して足場のパイプ等に吊り下げた状態を示す正面図である。
【図７】本考案に係る照明装置を吊下げフックを使用して足場のパイプ等に吊り下げた状態を示す側面図である。
【図８】本考案に係る照明装置を台座裏面の磁石を使用してＨ型鋼等の鉄製品に貼り付けた状態を示す側面図である。
【図９】本考案に係る照明装置を台座の挿入孔を使用して木製のパネル等に固定した状態を示す側面図である。
【図１０】本考案に係る照明装置を台座のコンセントを使用して直列に連結した状態を示す正面図である。
【考案を実施するための形態】
【０００９】
次に、本考案に係る照明装置の実施の形態について説明する。
【００１０】
本考案の照明装置１は、図１および図２に示すように、ＬＥＤ蛍光管等の長尺の照明器具１１と、その照明器具１１の両側に設けられ、その照明器具１１を支持する一対の台座１２，１２と、を有し、その両端部には着脱可能な防水キャップ１３，１３’が設けられている一方、一方の防水キャップ１３からは照明器具１１に接続された電源コード１４を介して工事現場等のコンセント（図示せず。）に挿入する電源プラグ１６が設けられている。なお、一対の台座１２，１２のうち電源コード１４が延びる側の台座１２には、照明器具１１の電源をオン・オフ等する電源スイッチ１２ａ１が設けられている。
【００１１】
また、電源プラグ１６側にも防水キャップ１５が設けられており、これは後述する図１０に示すように複数の照明装置１を直列的に接続した場合に、隣の照明装置１のコンセント１２ａ２（図３参照。）に電源プラグ１６を挿入して連結した場合に、コンセント１２ａ２が設けられた台座１２の防水キャップ１３の機能を果たすために使用する。
【００１２】
照明器具１１は、図４に示すように、照明用ＬＥＤ１１ａと、充電状態を着色光で報知する充電状態報知用ＬＥＤ１１ｂとを透明なアクリル製やガラス製の円筒管の中に設けて構成されており、詳細は図示しないが、交流電流を直流電流に変換するＡＣ／ＤＣ変換器や照明用ＬＥＤ１１ａや充電状態報知用ＬＥＤ１１ｂの点灯や点滅を制御する制御回路が設けられている共に、照明用ＬＥＤ１１ａの照射光を拡散させるようにスモークガラスや、その照射光を反射させる反射板などが設けられている。
【００１３】
これにより、照明装置１の電源プラグ１６を工事現場のコンセントに接続すると、充電状態報知用ＬＥＤ１１ｂは、充電状態では点灯表示する一方、受電完了状態では点滅して、点滅も点灯もしない場合は、故障と分かるので、故障状態も簡単に認識することができる。
【００１４】
また、充電状態報知用ＬＥＤ１１ｂは、受電完了状態では点滅するので、受電完了後は工事現場における誘導灯の役目も果たすことができる。
【００１５】
また、照明器具１１は、図示はしないが、電源プラグ１６をコンセントに指さずに使用するためのバッテリが内蔵されている。
【００１６】
これにより、照明装置１の電源プラグ１６を工事現場等の外部電源であるコンセントに接続しない状態でも、電源プラグ１６を介して内蔵バッテリに充電しておけば、その内蔵バッテリからの給電により使用できるので、コンセントの無い場所でも照明装置１を使用することが可能となり、使用範囲が広がる。
【００１７】
また、内蔵のバッテリにより使用する場合には、照明用ＬＥＤ１１ａは、電源ボタン１２ａ１を押す度に、ＬＯＷ（オン）→ＨＩＧＨ（オン）→オフ→ＬＯＷ（オン）→ＨＩＧＨ（オン）→・・・、またはＨＩＧＨ（オン）→ＬＯＷ（オン）→オフ→ＨＩＧＨ（オン）→ＬＯＷ（オン）→→・・・を繰り返すように制御回路が制御するので、明るさを変更して、内蔵バッテリの消費電力を抑えることが出来る。
【００１８】
なお、内蔵バッテリからの給電で使用する場合には、外部電源を使用する場合と異なり、制御回路は、充電状態報知用ＬＥＤ１１ｂを点灯させないので、この点でも内蔵バッテリの消費電力を抑えることが出来る。
【００１９】
また、この照明装置１では、照明器具１１の制御回路は、電源プラグ１６を１００Ｖ等の外部電源のコンセントに挿して使用して照明用ＬＥＤ１１ａを点灯させている際に、停電等によってその外部電源からの電流供給が遮断された場合、バッテリーモードに自動的に切り替わって、内蔵バッテリから電流供給して照明用ＬＥＤ１１ａを点灯させるように設計している。
【００２０】
そのため、この照明装置１では、不測または突発の停電等が発生しても、内蔵バッテリからの電流供給を利用して照明用ＬＥＤ１１ａを点灯させるバッテリモードに切替るので、この点で、非常に使い勝手の良い照明装置を提供することができる。
【００２１】
また、一対の台座１２，１２は、図１〜図４等に示すように、それぞれ、照明器具１１の端部を支持する円筒状の照明器具支持部１２ａ，１２ａと、図３および図４に示すように照明器具１１がこの照明装置１の取付け部位から所定の高さだけ離間するようにその照明器具１１から延びる一対の脚部１２ｂ，１２ｂと、その一対の脚部１２ｂ，１２ｂの下端部を連結する取付け用平面部１２ｃとから構成されている。
【００２２】
ここで、各台座１２，１２の照明器具支持部１２ａ，１２ａは、照明器具１１の各端部に嵌合して回転可能に支持しており、照明器具１１を３６０度回転可能に支持する。
【００２３】
そのため、照明器具１１の照射角度を変更したい場合には、照明器具支持部１２ａ，１２ａに対し照明器具１１を適当な角度に回転させれば良い。
【００２４】
また、図５に示すように、取付け用平面部１２ｃの裏面には、それぞれ、強力な磁石１２ｃ１が３個設けられている。
【００２５】
そのため、工事現場では、図６に示すように、Ｈ型鋼３等の鉄骨やプレハブ建築物等の鉄製のものに、取付け用平面部１２ｃ裏面の磁石１２ｃ１を使用して、照明装置１を簡単に設置することができる。
【００２６】
また、取付け用平面部１２ｃの磁石１２ｃ１の外側には、図５に示すように、ネジまたは結束バンド等の固定手段が挿入される挿入孔１２ｃ２，１２ｃ２が設けられている。
【００２７】
そのため、図９に示すように、取付け用平面部１２ｃ裏面の磁石１２ｃ１を使用できない木製の壁面４等には、ネジ５や結束バンド（図示せず。）等の固定手段を挿入孔１２ｃ２，１２ｃ２から通して、照明装置１を設置することができる。
【００２８】
また、一対の台座１２，１２には、それぞれ、着脱可能な防水キャップ１３，１３’が装着されていると共に、その防水キャップ１３，１３’によってそれぞれ吊り下げフック１２ｃ３が内蔵かつ留められており、各台座１２，１２の一対の脚部１２ｂ，１２ｂと取付け用平面部１２ｃとの境界には掛止部１２ｄ，１２ｄを設けている。
【００２９】
そのため、この照明装置１の両端を足場等の円筒管（円柱）２に吊り下げて使用する場合には、一対の台座１２，１２それぞれから防水キャップ１３，１３’を取外し、その後、それぞれ吊り下げフック１２ｃ３，１２ｃ３を取外し、さらに防水キャップ１３，１３’を各台座１２，１２に装着して、取外した吊り下げフック１２ｃ３，１２ｃ３を各台座１２，１２の掛止部１２ｄ，１２ｄそれぞれに掛止する。
【００３０】
そして、各台座１２，１２の掛止部１２ｄ，１２ｄそれぞれに掛止した吊り下げフック１２ｃ３，１２ｃ３を、図６および図７に示すように、足場等の円筒管（円柱）２に吊り下げて使用することができる。
【００３１】
このように、本考案に係る照明装置１によれば、ＬＥＤ蛍光管等の長尺の照明器具１１と、その照明器具１１の両側に設けられ、その照明器具１１を支持する一対の台座１２，１２とを有し、一対の台座１２，１２は、それぞれ、照明器具１１の端部を支持する照明器具支持部１２ａ，１２ａと、照明器具１１がこの照明装置の取付け部位から所定の高さだけ離間するようにその照明器具１１から延びる一対の脚部１２ｂ，１２ｂと、その一対の脚部１２ｂ，１２ｂを連結する取付け用平面部１２ｃとを有し、その取付け用平面部１２ｃの磁石１２ｃ１や挿入孔１２ｃ２，１２ｃ２、脚部１２ｂ，１２ｂと取付け用平面部１２ｃとの境界に設けた掛止部１２ｄ，１２ｄに掛止した吊り下げフック１２ｃ３により、足場用の単管パイプ２には取り付け可能であるだけでなく、それ以外のＨ型鋼３や木製の壁面４等にも取り付けることができる。
【００３２】
特に、本考案に係る照明装置１では、一対の台座１２，１２それぞれに設けられた吊り下げフック１２ｃ３，１２ｃ３は、それぞれ、防水キャップ１３，１３’によってそれぞれ内蔵かつ留められているので、吊り下げフック１２ｃ３，１２ｃ３を使用しない場合には、紛失を防止することが可能であり、いざ使用とする際に探したりすることを確実に防止できる。
【００３３】
また、図１や図２等に示すように、一対の台座１２，１２の照明器具支持部１２ａ，１２ａのいずれか一方には、先端に電源プラグ１６が連結された電源コードが接続されている一方、一対の台座１２，１２の照明器具支持部１２ａ，１２ａの他方には、図３に示すように隣接する照明装置１の電源プラグ１６が挿入されるコンセント１２ａ２が設けられている。
【００３４】
そのため、本考案に係る照明装置１は、図１０に示すように、複数台の照明装置１を直列的に並べ、一番端の照明装置１の電源プラグ１６は工事現場のコンセントに差し込む一方、その反対側の照明器具支持部１２ａからは防水キャップ１３’を取り外して、図３に示すようにコンセント１２ａ２を露出させ、直列的に並んだその隣の照明装置１の電源プラグ１６を連結していくことを繰り替えすことにより、複数台も照明装置１を連結して長い区間を照らすことができ、この点でも非常に便利である。そのため、この照明装置１の照明器具１１の制御回路には、例えば、各コンセント１２ａ２に接続された隣の照明装置１の電源プラグ１６に対し並列に接続するような回路が構成されている。
【符号の説明】
【００３５】
１  照明装置
１１  照明器具
１１ａ  照明用ＬＥＤ
１１ｂ  充電状態報知用ＬＥＤ
１２，１２  台座
１２ａ，１２ａ  照明器具支持部
１２ａ１  コンセント
１２ｂ，１２ｂ  脚部
１２ｃ  取付け用平面部
１２ｃ１  磁石
１２ｃ２，１２ｃ２  挿入孔
１２ｃ３  吊り下げフック
１２ｄ，１２ｄ  掛止部
１３，１３’，１５  防水キャップ
１４  電源コード
１６  電源プラグ
２  円筒管（円柱）
３  Ｈ型鋼
４  木製の壁面
【図１】
0003193821.tif 000003
【図２】
0003193821.tif 000004
【図３】
0003193821.tif 000005
【図４】
0003193821.tif 000006
【図５】
0003193821.tif 000007
【図６】
0003193821.tif 000008
【図７】
0003193821.tif 000009
【図８】
0003193821.tif 000010
【図９】
0003193821.tif 000011
【図１０】
0003193821.tif 000012